(57)【要約】【課題】【解決手段】  本発明は、供与装置、とくに褒美を与える供与装置に関するものであり、動物、特に犬に対して供与物を与える少なくとも一つの供与器を具える。ここで、当該供与器は、少なくとも一つの供与物収容部と、これを帯同させるための固定装置が設けられている。本発明によれば、供与装置（５２）は、供与器（３）と少なくとも一つの信号送信器（４５）を具え、供与器（３）が供与物（２１）またはその一部を与える供与機構（３１）を具え、当該機構は遠隔制御で作動し、供与器（３）を動物（１）に帯同させるための固定装置（５）が、動物用固定装置（４）として構成されており、動物（１）に帯同されていない信号送信器（４５）が、供与機構（３１）を遠隔制御動作するように構成されている。【選択図】  図１ａ
2008539701.tif 000002
【特許請求の範囲】
【請求項１】
特に褒美を与える供与装置である供与装置であって、動物用、特に犬用の供与物を与える少なくとも一の供与器を具え、前記供与器が、少なくとも一の供与物収容部と、帯同用固定装置とを有する供与装置において、前記供与装置（５２）が供与器（３）と、少なくとも一の信号送信器（４５）とを具え、前記供与器（３）が前記供与物（２１）またはその一部を与える遠隔制御で動作する供与機構（３１）を具え、前記固定装置（５）が前記動物（１）に前記供与器（３）を帯同させるための動物用固定装置（４）として構成されており、前記信号送信器（４５）は、前記動物（１）に帯同されておらず、前記供与機構（３１）の遠隔制御操作するように構成されていることを特徴とする供与装置。
【請求項２】
請求項１に記載の供与装置において、前記供与物が食餌（２１’）、特に褒美としての給餌及び／又は玩具であることを特徴とする供与装置。
【請求項３】
請求項１又は２に記載の供与装置において、前記供与物（２１）が前記動物（１）の周辺領域に供与されることを特徴とする供与装置。
【請求項４】
請求項１乃至３のいずれか１項に記載の供与装置において、前記供与器（３）が前記供与した供与物（２１）を受ける受け容器（２３）を具え、当該受け容器に前記動物（１）が到達できることを特徴とする供与装置。
【請求項５】
請求項１乃至４のいずれか１項に記載の供与装置において、前記動物用固定装置（４）が別体の固定ハーネス（６）として構成されていることを特徴とする供与装置。
【請求項６】
請求項１乃至５のいずれか１項に記載の供与装置において、前記固定ハーネス（６）が首輪（７）もしくは胸帯であることを特徴とする供与装置。
【請求項７】
請求項１乃至６のいずれか１項に記載の供与装置において、前記動物用固定装置（４）が前記供与装置（５２）の構成要素の一つであり、特に、供与器（３）に付属するものであることを特徴とする供与装置。
【請求項８】
請求項１乃至７のいずれか１項に記載の供与装置において、前記供与器（３）が少なくとも一の中間エレメント（９）によって前記動物用固定装置（４）に固定可能に取り付けることができることを特徴とする供与装置。
【請求項９】
請求項１乃至８のいずれか１項に記載の供与装置において、前記中間エレメント（９）がカラビナ、バックル（２０）あるいはベルクロファスナであることを特徴とする供与装置。
【請求項１０】
請求項１乃至９のいずれか１項に記載の供与装置において、前記遠隔制御が、例えば電波、赤外線、または超音波によって、無線式で作動することを特徴とする供与装置。
【請求項１１】
請求項１乃至１０のいずれか１項に記載の供与装置において、遠隔制御操作用に、前記信号送信器（４５）が送信器を具え、前記供与器（３）が受信器（４６）を具えることを特徴とする供与装置。
【請求項１２】
請求項１乃至１１のいずれか１項に記載の供与装置において、前記信号送信器（４５）がトリガ装置（５１）によって作動することを特徴とする供与装置。
【請求項１３】
請求項１乃至１２のいずれか１項に記載の供与装置において、前記トリガ装置（５１）が、手動の指押し、タイムスイッチ信号、動作検出信号、または位置検出信号の形の少なくとも一のトリガ信号によって信号送信器（４５）を起動させることを特徴とする供与装置。
【請求項１４】
請求項１乃至１３のいずれか１項に記載の供与装置において、前記供与器（３）と信号送信器（４５）が電気的に作動し、それぞれが電源用に、少なくとも一つの蓄電手段を具えていることを特徴とする供与装置。
【請求項１５】
請求項１乃至１４のいずれか１項に記載の供与装置において、前記供与器（３）が、前記供与機構（３１）を駆動する少なくとも一つの電動モータ（２９）を具えていることを特徴とする供与装置。
【請求項１６】
請求項１乃至１５のいずれか１項に記載の供与装置において、前記供与物（２１）が予め小分けされた供与物（２４）であることを特徴とする供与装置。
【請求項１７】
請求項１乃至１６のいずれか１項に記載の供与装置において、前記供与機構（３１）が前記小分け装置（１４）の一部をなしており、これによって前記供与物（２１、２４）を小分けして与えることができることを特徴とする供与装置。
【請求項１８】
請求項１乃至１７のいずれか１項に記載の供与装置において、前記小分け装置（１４）が少なくとも一つの小分け収容部（１７）を具えていることを特徴とする供与装置。
【請求項１９】
請求項１乃至１８のいずれか１項に記載の供与装置において、前記供与物（２１、２４）が、前記小分け装置（１４）によって小分けして移送されることを特徴とする供与装置。
【請求項２０】
請求項１乃至１９のいずれか１項に記載の供与装置において、前記小分け装置（１４）が、前記供与物（２１、２４）を移送するスピンドル（３６）を具えることを特徴とする供与装置。
【請求項２１】
請求項１乃至２０のいずれか１項に記載の供与装置において、前記供与物収容部（１３）が開閉可能な投入開口（４２’）を具えることを特徴とする供与装置。
【請求項２２】
請求項１乃至２１のいずれか１項に記載の供与装置において、前記供与器が、少なくとも一つの刺激送信器（４４）を具え、前記供与物（２１、２４）または前記供与物の一部（２１、２４）を与えると同時に、前記動物（１）に追加の刺激を与えることを特徴とする供与装置。
【請求項２３】
請求項１乃至２２のいずれか１項に記載の供与装置において、前記刺激が、視覚的刺激、聴覚的刺激、振動刺激、空気噴射、あるいは接触刺激であることを特徴とする供与装置。
【請求項２４】
動物、特に犬に帯同させた少なくとも一の供与器の供与物収容部から供与物を与える方法、特に褒美を与える方法において、前記動物が動物用固定装置の上に前記供与器を帯同しており、前記供与器が前記供与物または小分けした前記供与物を供与する供与機構を具え、前記供与機構を前記動物に帯同されていない少なくとも一の信号送信器によって、遠隔制御によって作動させることを特徴とする方法。
【請求項２５】
請求項２４に記載の方法において、前記供与物が、前記動物の位置に関係なく前記信号送信器の動作範囲で供与されることを特徴とする方法。
【請求項２６】
請求項２４又は２５に記載の方法において、前記遠隔制御がなされると直ちに前記供与物が供与されることを特徴とする方法。
【請求項２７】
請求項２４乃至２６のいずれか１項に記載の方法において、前記供与物が前記動物のすぐ周囲に供与されることを特徴とする方法。
【請求項２８】
請求項２４乃至２７のいずれか１項に記載の方法において、前記供与物が前記動物の行動に対する褒美として供与されることを特徴とする方法。
【発明の詳細な説明】
【技術分野】
【０００１】
本発明は、供与装置に関するものであり、とくに褒美を与える供与装置に関する。この装置は、動物、特に犬に供与物を与える少なくとも一台の供与器を具え、該供与器には少なくとも一つの供与物収容部と、帯同させるための固定具が設けられている。
【０００２】
このような供与装置は公知であり、供与物収容部と、例えばクリップなどの固定具を設けた携帯可能な供与器を具えており、人が手の自由な動きを妨げることなくこの供与器を持ち運ぶことができるように構成されている。当該人（以下、訓練者とも言う）が、供与物あるいは供与物の一部を動物に与えたい場合、供与器を開けて、供与物収容部から供与物を取出し、この供与物を例えば動物に投げるなどして、供与物を与える。特に動物にこの供与物を褒美として与える場合は、供与物を適切なタイミングで与えることが必須である。なぜなら、動物は時間が空いてしまうと二つのでき事を関連付けることができないからである。動物の行動と褒美を与えることとの間に関連があることを認識できるようにするためには、褒美を与えられるべき動物の行動の直後に褒美の形の供与物が与えられなくてはならない。このようにすることによって初めて、適切な動物のトレーニングが成功する。
【０００３】
本発明は、所望の訓練結果を得るために、訓練者が決めた時間に動物に直接供与物を与えることができる、上述した供与装置を提供することを目的とする。
【０００４】
この目的は、供与装置が、供与器と少なくとも一つの信号送信器を具え、前記供与器が遠隔操作で作動して供与物または供与物の一部を与えることができる供与機構を具え、前記固定具が動物へ前記供与器を帯同させる動物用固定具として構成されており、前記信号送信器は動物に帯同されておらず、供与機構を遠隔操作するように構成されることによって達成される。ここで、従来知られている供与装置とは反対に、このタイプの供与装置では、供与器が固定具を付けた動物自身によって帯同され、信号送信器によって遠隔操作で作動しうることが必須である。このような供与装置によれば、信号送信器と供与器との間の物理的距離に左右されることなく供与物を与えることが可能である。これによって、動物の居場所によって供与物の供与位置が変わっても、遠隔動作によって供与器の供与機構を直ちに作動させることができる。本発明の供与装置を使用することによって、訓練者は供与物またはその一部を動物に直接的に与えることができる。このとき、動物は、供与物の放出を、支配的な状況と関連付け、訓練者と、または訓練者との相互作用とは関連付けない。
【０００５】
本発明の一の実施例では、供与物には、給餌としての供与物、特に褒美としての給餌、及び／又は、玩具が含まれる。供与物となる給餌又は好適な玩具とは、動物が褒美として感じるものを意味する。
【０００６】
更に、本発明の一の実施例は、動物の周辺の領域に供与物を与える手段を提供する。この追加の手段は、動物が供与物に直ちにアクセスすることができ、褒美を与えられる状況から動物が注意をそらすような行動を取る必要がないという利点がある。供与物がこのようにして与えられる場合、供与物は、例えば動物の前の床の上に落とす、あるいは、動物が認知するゾーンへ投げ出すことができる。
【０００７】
また、本発明の一の実施例は、供与器が、与えられた供与物を受け止める受け容器を具えており、この受け容器に動物がアクセスできるようにしている。このような容器によれば、動物は供与物に近づきやすくなり、地面の状態が悪いような場合でも、動物が供与物を容易に見つけるられる。
【０００８】
本発明の一の実施例によれば、動物に取り付ける固定具が、別体の固定ハーネスとして構成されており、供与器が、この固定ハーネスに取り付けられている。この固定ハーネスは、既存の固定ハーネスであってもよく、例えば引綱に取付けて使用することができる。
【０００９】
特に、この固定ハーネスは、首輪や胸帯などである。このような動物用の固定ハーネスは種々存在する。
【００１０】
更に、供与器は、少なくとも一つの中間エレメントを介して、動物用固定具に取付けられている。特に、固定ハーネスの場合は、供与器に取り付けるだけでなく、アダプタとして機能する中間エレメントである必要がある。特に、この中間エレメントは、カラビナ、あるいはバックル、あるいはベルクロファスナでできている。
【００１１】
本発明の一の実施例によれば、遠隔制御は、無線式、特に電波、赤外線もしくは超音波で動作する。このような伝送方法によって、遠隔制御操作に充分に広範囲な動作エリアが確保される。この場合、無線信号の伝送が動物と訓練者に最大のフレキシビリティをもたらす。
【００１２】
遠隔制御操作用に、信号送信器は送信器を具え、供与器は受信器を具える。
【００１３】
この信号送信器は、トリガ装置によって機能する。
【００１４】
特に、このトリガ装置は、手動の指押し、タイムスイッチ信号、動作検出信号、あるいは位置検出信号の形で少なくとも一のトリガ信号として機能して、信号送信器をトリガする。訓練者による手動トリガ（遠隔制御に対応する）に加えて、供与器の供与機構を信号送信器からのその他の入力信号によってトリガすることもできる。これらの信号は、環境によって、すなわち、動物または訓練者と無関係に、あるいは、例えば動き検出信号または位置検出信号によって動物自身によってトリガすることもできる。
【００１５】
供与器と信号送信器は電動式であり、それぞれが電源供給用に、少なくとも一の蓄電手段を具える。供与装置の二つの構成部分（信号送信器と供与器）は移動式であるので、その電源は、例えば、乾電池または蓄電池などの蓄電手段によるのが好ましい。
【００１６】
供与器は、供与機構を駆動するために少なくとも一台の電動モータを具える。
【００１７】
本発明の一の実施例によれば、供与物が予め小分けにした供与物である。この予め小分けにした供与物は、例えば、団子状、あるいは固形飼料のようにプレスされた乾燥餌であってもよい。
【００１８】
特に、供与機構は小分け装置の一部をなしており、供与物を小分けして与えることができる。供与物収容部から供与物を“１回で”全て供与しない場合は、小分け装置が供与物を分割して、供与機構を介して小分けした状態で与える。
【００１９】
本発明の一の実施例によれば、小分け装置が少なくとも一の小分け容器を具えている。この場合、小分け容器の容量は、その小分けする分量によって決まる。小分け装置は、複数の小分け容器（特に、サイズの異なる）を具えていても良く、供与機構によって量が異なる小分け供与物を与えることができる。
【００２０】
特に、供与物は、供与物収容部から、小分け装置を用いて小分けされて供与領域へ移送される。小分けした供与物を与えるためには、小分け装置を用いて供与物収容部から供与物をいくらか取り出して、供与領域へ移送する。この結果、小分け容器が供与物収容部にまず接触して、いくらかの供与物を小分け容器にいれる。次いで、小分け容器が供与領域に接触して、供与機構を介して小分け容器内の内容物を与える。
【００２１】
更に、小分け装置は、供与物を移送するスピンドルを具えている。スピンドルを用いることで、駆動装置を回転移動させて、容易に供与物の直線移送を行うことができる。
【００２２】
特に、供与物収容部は閉鎖可能な投入口を有する。この投入口を介して供与物収容部に供与物を入れる。
【００２３】
本発明の一の実施例によれば、供与器が少なくとも一つの刺激送信器を具えており、供与物または供与物の一部が供与されると同時に、動物に刺激を与える。この相応の刺激は、供与物が与えられたことを動物に知らせ、動物は与えられた供与物を直ちに探すことを学習する。
【００２４】
この刺激は、視覚的刺激、聴覚的刺激、振動刺激、空気噴射、あるいは接触刺激であってもよい。これらの刺激は、動物の注意を喚起するのに適している。
【００２５】
本発明は、また、方法に関するものであり、特に、動物、特に犬に帯同させた少なくとも一の供与器の供与物収容部から供与物を褒美として与える方法に関する。ここで、動物が動物用固定具の上に供与器を帯同しており、供与器が供与物又は供与物の一部を与える供与機構を具え、当該供与機構は、動物が帯同していない少なくとも一の信号送信器によって遠隔制御によって作動する。
【００２６】
本発明の一の実施例によれば、供与物は、動物の位置に関係なく、信号送信器の作動範囲内で供与される。訓練者の居場所と無関係に供与物が供与されることによって、動物は、その支配的な状況と供与物の供与との間の関係をより容易に把握することができる。
【００２７】
更に有利なことに、供与物は遠隔制御が行われると、直ちに放出される。特に、供与物の放出までの時間の遅れをできる限り小さくすることによって、良好な訓練結果を得ることができる。
【００２８】
更に、供与物が動物のすぐ近くに放出されることが有利である。この結果、動物は供与物の放出を、特定の場所や特定の訓練者と関連付けることがない。
【００２９】
すなわち、動物の行動に褒美を与えるために供与物が放出されるという利点がある。このような褒美の手順による積極的な認識に基づいた相応の訓練によって、所望の行動を取るように動物を訓練することができる。
【００３０】
添付図面を参照し、多くの実施例を用いて以下に本発明をより詳細に説明する。
【００３１】
図１ａは、動物用固定具４として構成されている固定具５で、供与器３を首２に取付けた状態の動物１を示す図である。動物用固定具４は、例えば別体の固定ハーネス６であってもよく、この固定ハーネス６は図１ａでは、犬８の首輪７である。首輪７と供与器３の間には中間エレメント９が設けられており、これを介して、首輪７として構成されている固定ハーネス６に供与器３が取付けられている。中間エレメント９の反対側には、図１ｂに示すように、供与器３の側部が配置されている。この供与領域１０の下側にガイドレール１１が設けられている。図１ｂは、供与器３の更なる細部を示す。供与器３はハウジング１２を有し、その中には、供与物収容部１３と小分け装置１４が設けられている。小分け装置１４は、羽根車１５を具えており、羽根１６の間にそれぞれ小分け収容部１７ができている。羽根車１５の下側に、ハウジング１２が開口１８を有しており、これが供与器３の供与領域１０を形成している。バックル２０として形成された中間エレメント９が、ハウジング１２の上方外側領域に配置されており、そこに供与器３が固定ハーネス６で取付けられている。
【００３２】
供与器３は以下の通り機能する。供与物収容部１３に供与物２１が入れられて、この供与物が羽根車１５でできた小分け収容部１７（コンパートメント１７’）へ入り、羽根車が矢印２２の方向に回転すると、供与領域１０へ移送される。この場合、供与物２１、特に給餌２１’は、動物用のものである。供与領域１０において、供与物２１が小分けになって開口１８からガイドレール１１に落ちて、動物が容易に到達できる動物１の周囲の領域へ直接移送される。
【００３３】
図１ｃは、同じくガイドレール１１付の供与器３を示すが、ここではガイドレールのその終端部に受け容器２３が設けられている。供与器３によって供与された供与物２１は、開口１８からでてガイドレール１１に沿って移送された後、受け容器２３に出てくる。図１ｄは、基本的には図１ａと同じ構成を示すが、ガイドレール１１が、例えば動物１の鼻や口元に供与物を案内する外に伸びたロッド１９によって置き換えられている。
【００３４】
図２ａ乃至２ｃは供与器３の更なる実施例を示す概略図である。図２ａは供与器３の断面図であり、上方端部領域には固定ハーネス６に取付けるための二個のバックル２０が設けられている。ハウジング１２の内部は上側に予め小分けされた供与物２４を入れる供与物収容部１３となっている。供与物収容部１３は、下側にある小分け装置１４から、開口部２６を持つ中間隔壁２５で分離されている。小分け装置１４の底部１９には供与開口１８が開けられており、これはフラップ２８またはスライド２８’によって開閉することができる。このため、フラップ２８もしくはスライド２８’は、電動モータ２９として構成されている電気駆動部３０によって回動／切替動作が行われる。この場合、電気駆動部３０は、供与器３の内側の動作エレメント３０’によって供与物２１（小分け装置１４の中、あるいは、供与物収容部１３の中の）を移動させて、供与物２１、特に小分けした供与物２４が固渋してしまうことを防止する。電気駆動部３０によって発生する騒音を、供与物２１を与えるときの視覚的刺激として使用することができる。
【００３５】
供与器３は以下の通り機能する。動物１の動きによって予め小分けされた供与物２４が、適当な大きさに設定された開口部２６を通過して小分け装置１４に到達する。供与機構３１の遠隔制御動作によって、電動モータ２９が、所定の時間、フラップ２８またはスライド２８’を開く。この間に、予め小分けされた供与物２４が、中間隔壁２５によって遅れて、小分け装置１４によって供与領域１０へ到達する。
【００３６】
図２ｄ乃至２ｆは、供与物収容部１３の別な実施例を示す図である。図２ｄでは、供与物収容部１３はバッグ３２として構成されている。図２ｅ及び２ｆでは、供与物収容部１３は少なくとも一本のホース３３として構成されており、固定ハーネス６の左右に延びて、この固定ハーネスに固定されている。供与物収容部１３の動物用固定具４をホース３３の形状にした実施例も可能である。図２ｆは、図２ｅとは異なる供与器３の供与機構３１を示しており、ここでは予め小分けされた供与物２４がサーボ機構３４によって供与される。サーボ３４のレバー３５は左右に動くことができ、固定ハーネス６に取り付けられた供与物収容部１３の両側から交互に供与物２１を供与する。この供与物は、例えば、小分け装置１４を用いて、供与領域１０へ届く。
【００３７】
図３ａ及び３ｂは、図２ａと同様に中間隔壁２５を具える供与器３の実施例を示し、ここでは両者の差異のみを説明する。中間隔壁２５の反対側の小分け装置１４の下側にコンパートメント１７’として構成された複数の小分け収容部１７があり、動物１の移動によって一杯になる。コンパートメント１７’の充填は、中間隔壁２５の開口部２６の大きさと数によって制限される。ここでオペレータが遠隔制御によって供与機構３１を稼動させると、供与開口１８の一つが開いて、供与物２４が供与される。図３ｂは、更に、連結エレメント３８によって供与器３のハウジング１２の外側に固定されている振動装置３７を示す図であり、この装置は電動装置３９を有しており、これによって、突出したボルト４０を往復運動させることができる。スイッチを入れると、この往復運動によってボルト４０がハウジング１２を小刻みに叩いて、供与物収容部１３から小分け装置１４の小分け収容部１７へ予め小分けした供与物２４を移動させる。図３ｂには示されていないが、スライド２８’によって予め小分けされた供与物２４を小分け収容部１７から供与領域１０へ移動させて、供与器３から供与する。図３ｃは、固定ハーネス６に取付けられた供与器３の全体の概略図であり、区画４１では、乾電池や蓄電池、電動モータ、および電動駆動装置のその他の構成要素などの電気部品を収納する。その他の区画４１’には、脱着可能に装着された供与物収容部１３が収納されており、同時に小分け装置１４として作動する。更に、供与物収容部１３は少なくとも一の開口４２を有し、特別な位置に移動することによって、供与器３のハウジング１２内の供与開口１８と整列するようになっている。開口４２が供与開口１８の上に移動すると、供与物２１または予め小分けした供与物２４が、小分けした態様で供与される。供与器３は、供与物２１、２４を入れるための開口４２’を有する。
【００３８】
図３ｄに供与器の代替の実施例例を示す。この例では、スピンドル３６が予め小分けした供与物２４を、供与物収容部１３からフラップ２８によって開閉できる供与開口１８へ搬送する。
【００３９】
図４ａと４ｂは、供与器３が定置状態で使用されている例を示し、したがって供与器３は壁４３に取付けられている。図４ａは、中間エレメント９によって壁４３に固定され、二つの刺激送信器４４を具える供与器３を示す。刺激送信器は、例えば、供与物２１が供与されると同時に聴覚的刺激と視覚的刺激を生成する。この供与機構は、供与器３を定置状態で使用している場合でも、遠隔制御を用いた信号送信器４５によって稼動する。このため、供与器３は受信器４６を具える。図４ｂは、代替の定置使用を示す図であり、ここでは、供与器３のトリガ機構が信号送信器４５によってトリガされ、トラック４７として構成されているガイドレール１１に沿って、確実に閉鎖されているボックス４８の入口である開口に向けて、供与物が滑ってゆく。同時に刺激送信器４４が刺激（例えば、視覚的または聴覚的刺激）を送ることができる。トラック４７の長さは、延長可能なレール４７’を引きだすことによって延ばすことができ、このトラックは、供与物２１または予め小分けした供与物２４がボックス４８の中に消えて、動物１がアクセスできなくなるまで、動物１が入手できる時間的猶予を残す。訓練者４９による信号送信器４５の手動トリガの代替例では、供与機構３１を、例えば、位置検出装置５０として構成された信号送信器４５のトリガ装置５１によってトリガすることができる。このトリガ装置は、独立した位置信号送信器、あるいは、供与器３に組み込まれた位置信号送出器と協働して作動する。このタイプの構成を用いて、動物１の感覚を訓練することができる。この場合、例えば、赤外線検出器、光バリヤ、振動センサ、タッチセンサなどによって位置検出を行う。
【００４０】
動物用固定具４を伴う供与器３と、供与器３の供与機構３１の遠隔制御操作用の信号送信器４５が、供与装置５２を構成している（図４ｃ）。
【００４１】
信号送信器４５を用いた遠隔制御による操作に加えて、供与機構３１は供与器３を手動でトリガすることもできる。更に、更なる入力の変動要素が供与物２１の供与に影響する。例えば、供与器３の向き、供与器３に組み込まれているタイムスイッチ、あるいは、ランダムの原理によって任意に供与に影響する供与器３の装置（あるいはアッセンブリ）などである。
【００４２】
本発明による供与器３の動物１への使用に加えて、この供与器は、定置使用に加えて、人に使用したり、その他の生き物に使用することもできる。
【００４３】
供与器は、医薬品、その他の物質や、製品を供与物２１として、遠隔制御による供与に使用することができる。供与器３は、小分け装置１４によって医薬品やその他の物質や製品を調合して分け与えるのにも適している。
【図面の簡単な説明】
【００４４】
【図１】図１ａ乃至１ｄは、供与器とその取付けの実施例を示す。
【図２】図２ａ乃至２ｆは、代替の供与機構を有する供与器の実施例を示す。
【図３】図３ａ乃至３ｄは、供与器と供与機構の更なる実施例を示す。
【図４】図４ａ乃至４ｃは、供与器と信号送信器とを有する供与装置と、その適用例を示す。
【図１ａ】
2008539701.tif 000003
【図１ｂ】
2008539701.tif 000004
【図１ｃ】
2008539701.tif 000005
【図１ｄ】
2008539701.tif 000006
【図２ａ】
2008539701.tif 000007
【図２ｂ】
2008539701.tif 000008
【図２ｃ】
2008539701.tif 000009
【図２ｄ】
2008539701.tif 000010
【図２ｅ】
2008539701.tif 000011
【図２ｆ】
2008539701.tif 000012
【図３ａ】
2008539701.tif 000013
【図３ｂ】
2008539701.tif 000014
【図３ｃ】
2008539701.tif 000015
【図３ｄ】
2008539701.tif 000016
【図４ａ】
2008539701.tif 000017
【図４ｂ】
2008539701.tif 000018
【図４ｃ】
2008539701.tif 000019
【国際調査報告】
2008539701.tif 000020
2008539701.tif 000021
2008539701.tif 000022
2008539701.tif 000023
2008539701.tif 000024
2008539701.tif 000025